(57)【要約】【課題】建物の施工中はストップ装置付のドアクローザとして機能し、建物の完成後は簡単な操作でストップ装置の機能なしとして機能するドアクローザ用ストップ装置を提供する。【解決手段】所定の回転軸線上にて互いに回転可能に連結された一対のドアクローザ部品の一方と連結されるストッパ部材と、扉の開度が所定角度に達した時に前記ストッパ部材と係合して前記扉の閉方向の移動を阻止する手段を備えたドアクローザ用ストップ装置において、前記ドアクローザ用ストップ装置は前記ストッパ部材と係合する係合部材と、一端が前記係合部材と当接し他端には付勢力を保つ保持手段が設けられた付勢手段とを備え、前記保持手段を解除することにより前記ストッパ部材と前記係合部材の係合を解除する。【選択図】図１
2006348552.tif 000002
【特許請求の範囲】
【請求項１】
所定の回転軸線上にて互いに回転可能に連結された一対のドアクローザ部品の一方と連結されるストッパ部材と、扉の開度が所定角度に達した時に前記ストッパ部材と係合して前記扉の閉方向の移動を阻止する手段を備えたドアクローザ用ストップ装置において、前記ドアクローザ用ストップ装置は前記ストッパ部材と係合する係合部材と、一端が前記係合部材と当接し他端には付勢力を保つ保持手段が設けられた付勢手段とを備え、前記保持手段を解除することにより前記ストッパ部材と前記係合部材の係合を解除することを特徴とするドアクローザ用ストップ装置。
【請求項２】
前記保持手段は、前記一対のドアクローザ部品の他方の所定位置に前記付勢手段の付勢方向と略直角方向に取り付けられた止めねじであることを特徴とする請求項１に記載のドアクローザ用ストップ装置。
【請求項３】
前記一対のドアクローザ部品の他方は中空形状をしており、前記止めねじの長さは、前記一対のドアクローザ部品の他方において中空部内径より短いことを特徴とする請求項２に記載のドアクローザ用ストップ装置。
【請求項４】
前記保持手段は、頭部に鍔付きのねじであることを特徴とする請求項１に記載のドアクローザ用ストップ装置。
【請求項５】
前記一対のドアクローザ部品の他方は中空形状をしており、前記中空形状の内部に納められた前記付勢手段と前記保持手段の間に外径が前記付勢手段の内径寸法と前記中空形状の内径寸法の間となるように設定されたリベット状の受け部材を設け、前記受け部材は前記中空形状の内部を摺動可能であることを特徴とする請求項２又は請求項４に記載のドアクローザ用ストップ装置。
【請求項６】
前記受け部材は、外径が前記付勢手段の内径寸法と前記中空形状の内径寸法の間となるように設定された円柱状部材の軸方向略中央部を小径とした形状であることを特徴とする請求項５に記載のドアクローザ用ストップ装置。
【発明の詳細な説明】
【技術分野】
【０００１】
本発明は、建物の施工中はストップ装置付のドアクローザとして機能し、建物の完成後は簡単な操作でストップ装置の機能をなしとすることのできるドアクローザ用ストップ装置に関するものである。
【背景技術】
【０００２】
従来、ドアクローザにはストップ装置、すなわち、閉鎖運動中のドアクローザを一時的に停止させ扉の閉方向の移動を阻止する装置付のものとストップ装置なし、すなわち、閉鎖運動中のドアクローザを一時的に停止させる装置なしの二種類があり、必要に応じて使い分けられている。
【０００３】
すなわち、ストップ装置付のドアクローザを使用した扉においては、例えば荷物を室内に搬入するとき、ドアを手で押えておかなくてもよいので便利である。
【０００４】
この種のストップ装置として、実公平１−３０５２６号公報には、ドアクローザのメインアームとリンクとの連結点に停止カムを介装し、その停止カムとメインアームとを一対のセレーションを介して連結して両者をリンクに対し一体回転可能に設けるとともに、リンクの内部にはドアが所定角度まで開いたときに停止カムと係合してドアの閉方向への復帰を阻止する機構（例えばコイルばねを利用して鋼球を停止カムの外周面に押し付ける機構）を内蔵させたものがある。
【０００５】
一方、防火扉等の如くその機能上閉鎖運動中のドアクローザを一時的に停止させる機能を持たせることができない場合には上記のようなストップ装置を設けることができない。
【０００６】
然しながら、建物の施工現場においては防火扉等にドアクローザを取付けた後も内装工事の材料の搬入等閉鎖運動中のドアクローザを一時的に停止させる、すなわち、扉を一時的に開いたままにしておく必要性があるとともに建物の完成後はストップ装置なしとして機能するドアクローザが求められていた。
【０００７】
【特許文献１】実公平１−３０５２６号公報
【発明の開示】
【発明が解決しようとする課題】
【０００８】
それゆえに本発明は上記従来の問題に鑑みてなされ、建物の施工中はストップ装置付のドアクローザとして機能し、建物の完成後は簡単な操作でストップ装置の機能なしとして機能するドアクローザ用ストップ装置を提供することを課題とする。
【課題を解決するための手段】
【０００９】
上記課題を解決するため、請求項１にかかる発明は、所定の回転軸線上にて互いに回転可能に連結された一対のドアクローザ部品の一方と連結されるストッパ部材と、扉の開度が所定角度に達した時に前記ストッパ部材と係合して前記扉の閉方向の移動を阻止する手段を備えたドアクローザ用ストップ装置において、前記ドアクローザ用ストップ装置は前記ストッパ部材と係合する係合部材と、一端が前記係合部材と当接し他端には付勢力を保つ保持手段が設けられた付勢手段とを備え、前記保持手段を解除することにより前記ストッパ部材と前記係合部材の係合を解除することを特徴とする。
【００１０】
請求項２にかかる発明は、請求項１に記載のドアクローザ用ストップ装置において、前記保持手段は、前記一対のドアクローザ部品の他方の所定位置に前記付勢手段の付勢方向と略直角方向に取り付けられた止めねじであることを特徴とする。
【００１１】
請求項３にかかる発明は、請求項２に記載のドアクローザ用ストップ装置において、前記一対のドアクローザ部品の他方は中空形状をしており、前記止めねじの長さは、前記一対のドアクローザ部品の他方において中空部内径より短いことを特徴とする。
【００１２】
請求項４にかかる発明は、請求項１に記載のドアクローザ用ストップ装置において、前記保持手段は、頭部に鍔付きのねじであることを特徴とする。
【００１３】
請求項５にかかる発明は、請求項２又は請求項４に記載のドアクローザ用ストップ装置において、前記一対のドアクローザ部品の他方は中空形状をしており、前記中空形状の内部に納められた前記付勢手段と前記保持手段の間に外径が前記付勢手段の内径寸法と前記中空形状の内径寸法の間となるように設定されたリベット状の受け部材を設け、前記受け部材は前記中空形状の内部を摺動可能であることを特徴とする。
【００１４】
請求項６にかかる発明は、請求項５に記載のドアクローザ用ストップ装置において、前記受け部材は、外径が前記付勢手段の内径寸法と前記中空形状の内径寸法の間となるように設定された円柱状部材の軸方向略中央部を小径とした形状であることを特徴とする。
【発明の効果】
【００１５】
請求項１に係る本発明によれば、所定の回転軸線上にて互いに回転可能に連結された一対のドアクローザ部品の一方と連結されるストッパ部材と、扉の開度が所定角度に達した時に前記ストッパ部材と係合して前記扉の閉方向の移動を阻止する手段を備えたドアクローザ用ストップ装置において、前記ドアクローザ用ストップ装置は前記ストッパ部材と係合する係合部材と、一端が前記係合部材と当接し他端には付勢力を保つ保持手段が設けられた付勢手段とを備え、前記保持手段を解除することにより前記ストッパ部材と前記係合部材の係合を解除するようにしたので、建物の施工現場においては防火扉等にドアクローザを取付けた後も内装工事の材料の搬入等閉鎖運動中のドアクローザを一時的に停止させる、すなわち、扉を一時的に開いたままにしておくとともに建物の完成後は前記保持手段を解除することによりストップ装置なしとして機能するドアクローザを提供することができる。
【００１６】
請求項２に係る本発明によれば、請求項１に記載のドアクローザ用ストップ装置において、前記保持手段は、前記一対のドアクローザ部品の他方の所定位置に前記付勢手段の付勢方向と略直角方向に取り付けられた止めねじであるとしたので、建物の完成後は前記止めねじを前記一対のドアクローザ部品の他方より抜き取ることによりストップ装置なしとして機能するドアクローザを提供することができる。
【００１７】
請求項３に係る本発明によれば、請求項２に記載のドアクローザ用ストップ装置において、前記一対のドアクローザ部品の他方は中空形状をしており、前記止めねじの長さは、前記一対のドアクローザ部品の他方において中空部内径より短いことにより、前記止めねじを前記一対のドアクローザ部品の他方より抜き取る方法に加えて前記止めねじを前記中空形状の内部にねじ込む方法によってもストップ装置なしとして機能するドアクローザを提供することができる。
【００１８】
請求項４に係る本発明によれば、請求項１に記載のドアクローザ用ストップ装置において、前記保持手段は、頭部に鍔付きのねじとしたので、ストップ装置の組立時に前記鍔付きのねじを前記一対のドアクローザ部品の他方に締め付けることにより、建物の施工中にあやまって止めねじが外れストップ装置の機能が失われるのを防止することができる。
【００１９】
請求項５に係る本発明によれば、請求項２又は請求項４に記載のドアクローザ用ストップ装置において、前記一対のドアクローザ部品の他方は中空形状をしており、前記中空形状の内部に納められた前記付勢手段と前記保持手段の間に外径が前記付勢手段の内径寸法と前記中空形状の内径寸法の間となるように設定されたリベット状の受け部材を設け、前記受け部材は前記中空形状の内部を摺動可能であるようにしたので、ストップ装置の組立時に図示しない棒状の部材を前記中空形状の内部に差込み、前記受け部材を押し込むことにより前記付勢手段を所要寸法に圧縮することができ、特殊な工具を必要とせずに組み立てることができる。
【００２０】
請求項６に係る本発明によれば、請求項５に記載のドアクローザ用ストップ装置において、前記受け部材は、外径が前記付勢手段の内径寸法と前記中空形状の内径寸法の間となるように設定された円柱状部材の軸方向略中央部を小径とした形状としたので、前記止めねじを外して前記付勢手段を解除する時に前記受け部材の前記中空形状の内部での摺動が滑らかであり、前記付勢手段の解除を安定して行うことができる。
【発明を実施するための最良の形態】
【００２１】
以下、図面を参照して発明を実施するための最良の形態について説明する。
【００２２】
＜実施の形態＞
図１乃至図１０は、本発明によるドアクローザ用ストップ装置の実施例を示す図である。尚、図においてはブラケット部、リンク部及びアーム部のみを示している。又、図の断面を示すハッチングは省略されている。
【００２３】
図１１及び図１２は従来のストップ装置を示しており、ブラケット１を介して通常は図示しないドア枠に固定されるブラケット軸２に装着され、クリックボール７と係合する凹部３を形成したカム板４と、上記ブラケット軸２に回動可能に支承されるフォークアーム５の筒状に形成された基部Ａに収納され、ボール受け部材８を介してばね６によりブラケット軸２方向に付勢されたクリックボール７等のクリック体とを有している。ばね６は止めねじ９にて圧縮され、その反発力によりボール受け部材８及びクリックボール７がブラケット軸２の方向に付勢されている。
【００２４】
図１及び図２は本発明の第１実施形態のストップ装置を示す。フォークアーム５は中空形状をしており、その外周面１１には、ばね６が所要寸法に圧縮される位置にネジ孔１０がフォークアーム５の断面において中心方向に向いて設けられている。ネジ孔１０におけるフォークアーム５の断面部においてネジ孔１０の反対側である内周面１２には凹部１３が設けられ、ばね６を所要寸法に圧縮した状態で止めねじ１４をネジ孔１０から凹部１３に達するまで締め付けることによりクリックボール７をブラケット軸２の方向に付勢することによりストップ装置の機能を持たせている。なお、凹部１３が設けられておらず、止めねじ１４を内周面１２に直接締め付けても良い。
【００２５】
建物の施工中はドアクローザを扉に取付けた後も図１の如く止めねじ１４をフォークアーム５に締め付けたままにすることによりストップ装置が機能し、閉鎖運動中のドアクローザを一時的に停止させることができる。建物の完成後は図２の如く止めねじ１４をフォークアーム５から取り外すことによりばね６の圧縮力が開放されるためストップ装置の機能を失わせることができる。
【００２６】
図３及び図４は本発明の第２実施形態のストップ装置の一部を示す。尚、本実施形態において第１実施形態のストップ装置と同一の構成要素については説明を省略する。本実施形態では止めねじ１４の長さをフォークアーム５の内径寸法１５よりも短く設定しており、止めねじ１４をフォークアーム５から取り出すのみならず、図４の如くフォークアーム５の肉厚分だけねじ込んでフォークアーム５の内部へ落とし込んでしまうことによってもストップ装置の機能を失わせることができる。
【００２７】
図５及び図６は本発明の第３実施形態のストップ装置の一部を示す。尚、本実施形態において第１実施形態のストップ装置と同一の構成要素については説明を省略する。本実施形態では第２実施形態の止めねじ１４に代わり、例えばなべ小ねじ等の頭部を持った小ねじ１６によりばね６の圧縮力を保持している。小ねじ１６をフォークアーム５に所定の力で締め付けておくことにより、ドアクローザの輸送中の振動や建物の完成前の扉の開閉等によりねじが外れてストップ装置の機能が意図せず失われることを防ぐことができる。図６は小ねじ１６を取り外してばね６の圧縮力を開放し、ストップ装置の機能を失わせた状態を示す。
【００２８】
図７及び図８は本発明の第４実施形態のストップ装置の一部を示す。尚、本実施形態において第１実施形態のストップ装置と同一の構成要素については説明を省略する。本実施形態ではばね６と小ねじ１６の間にリベット状の受け部材１７を設けており、受け部材１７の外径はばね６の内径寸法とフォークアーム５の内径寸法の間となるように設定されフォークアーム５の内部を摺動可能となっている。本実施形態においては、フォークアーム部の組立時にフォークアーム５の先端より図示しない棒状の部材をフォークアーム５の内部に差込み、受け部材１７を押し込むことによりばね６を所要寸法に圧縮した状態で小ねじ１６により受け部材１７を介したばね６の圧縮力を保持し、クリックボール７をブラケット軸２の方向に付勢することによりストップ装置の機能を持たせている。図８は小ねじ１６を取り外してばね６の圧縮力を開放し、ストップ装置の機能を失わせた状態を示す。
【００２９】
図９及び図１０は本発明の第５実施形態のストップ装置の一部を示す。尚、本実施形態において第１実施形態のストップ装置と同一の構成要素については説明を省略する。本実施形態ではばね６と小ねじ１６の間に受け部材１７を設けており、受け部材１７の形状は外径がばね６の外径寸法とフォークアーム５の内径寸法の間となるように設定された円柱状部材の軸方向略中央部を小径とした形状とし、フォークアーム５の内部を摺動可能となっている。図１０は小ねじ１６を取り外してばね６の圧縮力を開放し、ストップ装置の機能を失わせた状態を示す。
【００３０】
以上本発明の好ましい実施の形態について説明したが、本発明はこれらの実施の形態に限定されるものではない。
【図面の簡単な説明】
【００３１】
【図１】本発明の第１実施形態を示し、（Ａ）はアーム部の断面図、（Ｂ）は部分断面図である。
【図２】本発明の第１実施形態においてストップ装置の機能を失わせた状態を示す部分断面図である。
【図３】本発明の第２実施形態におけるアーム部の部分断面図である。
【図４】本発明の第２実施形態においてストップ装置の機能を失わせた状態を示す部分断面図である。
【図５】本発明の第３実施形態におけるアーム部の部分断面図である。
【図６】本発明の第３実施形態においてストップ装置の機能を失わせた状態を示す部分断面図である。
【図７】本発明の第４実施形態におけるアーム部の部分断面図である。
【図８】本発明の第４実施形態においてストップ装置の機能を失わせた状態を示す部分断面図である。
【図９】本発明の第５実施形態におけるアーム部の部分断面図である。
【図１０】本発明の第５実施形態においてストップ装置の機能を失わせた状態を示す部分断面図である。
【図１１】従来のストップ装置におけるアーム部斜視図である。
【図１２】従来のストップ装置におけるアーム部の断面図である。
【符号の説明】
【００３２】
１          ブラケット
２          ブラケット軸
３          凹部
４          カム板
５          フォークアーム
６          ばね
７          クリックボール
８          ボール受け部材
９          止めねじ
１０        ネジ孔
１１        外周面
１２        内周面
１３        凹部
１４        止めねじ
１６        小ねじ
１７        受け部材
【図１】
2006348552.tif 000003
【図２】
2006348552.tif 000004
【図３】
2006348552.tif 000005
【図４】
2006348552.tif 000006
【図５】
2006348552.tif 000007
【図６】
2006348552.tif 000008
【図７】
2006348552.tif 000009
【図８】
2006348552.tif 000010
【図９】
2006348552.tif 000011
【図１０】
2006348552.tif 000012
【図１１】
2006348552.tif 000013
【図１２】
2006348552.tif 000014